(57)【要約】【課題】キャビネットの気密性を確保した同軸型又は複合型スピーカを得る。【解決手段】フレーム２０には、接続端子６が装着され、接続端子６と第1スピーカユニット２とを接続する第1リード線と、接続端子６と第2スピーカユニット３とを接続する第2リード線６２Ａ，６２Ｂが配備され、第2リード線６２Ａ，６２Ｂは、接続端子６から、支持部２０Ａに形成された貫通孔２０ｑを通って、支持枠３０Ａに沿って引き回され、ブリッジ枠３０Ｂに沿って第2スピーカユニット３に至るように配線され、フレーム２０には、第2リード線６２Ａ，６２Ｂを貫通孔２０ｑに導くリード線保持リブ２０ｐが形成されると共に、支持部２０Ａの背面に、貫通孔２０ｑを囲む囲いリブ２０ｒが形成される。【選択図】図２
2008278233.tif 000002
【特許請求の範囲】
【請求項１】
支持部を前面側に有するフレームを備えた第1スピーカユニットと、
前記支持部の外周に沿って支持される支持枠と該支持枠から中央に延びるブリッジ枠と該ブリッジ枠によって前記第1スピーカユニットの前面に支持されるスピーカ収容枠とを備える第2スピーカユニットとを備え、
前記フレームには、信号ケーブルが接続される接続端子が装着され、該接続端子と前記第1スピーカユニットとを接続する第1リード線と、前記接続端子と前記第2スピーカユニットとを接続する第2リード線が配備され、
前記第2リード線は、前記接続端子から、前記支持部に形成された貫通孔を通って、前記支持枠に沿って引き回され、前記ブリッジ枠に沿って前記第2スピーカユニットに至るように配線され、
前記フレームには、前記第2リード線を前記貫通孔に導くリード線保持リブが形成されると共に、前記支持部の背面に、前記貫通孔を囲む囲いリブが形成されることを特徴とするスピーカ装置。
【請求項２】
前面側にバッフル板が取り付けられる開口部を有する密閉型キャビネットを備え、
前記フレームの支持部を前記バッフル板に取り付け、前記第１スピーカユニットを前記開口部から前記密閉型キャビネット内に収容することを特徴とする請求項１に記載されたスピーカ装置。
【請求項３】
前記囲いリブ内には前記貫通孔を塞ぐシール材が充填されていることを特徴とする請求項２に記載されたスピーカ装置。
【請求項４】
前記バッフル板は、前記開口部を補強する金属製部材からなることを特徴とする請求項２に記載されたスピーカ装置。
【請求項５】
前記支持枠の背面及び／又は前記ブリッジ枠の背面には、前記第２リード線を仕込む凹溝部が形成されていることを特徴とする請求項１〜４のいずれかに記載されたスピーカ装置。
【請求項６】
前記フレームは、前記第１スピーカユニットの磁気回路を保持する磁気回路保持部と該磁気回路保持部と前記支持部とを連結する連結脚部とを有し、前記リード線保持リブは当該連結脚部に形成されることを特徴とする請求項１〜５のいずれかに記載されたスピーカ装置。
【請求項７】
前記第１スピーカユニットがウーファユニットであり、前記第２スピーカユニットがツイータユニットであることを特徴とする請求項１〜６のいずれかに記載されたスピーカ装置。
【発明の詳細な説明】
【技術分野】
【０００１】
本発明は、スピーカ装置に関するものである。
【背景技術】
【０００２】
低域から高域に亘ってフラットな音再生を実現できるスピーカとして、例えば、高音再生用スピーカユニット（いわゆる、ツイータユニット）と、低音再生用スピーカユニット（いわゆる、ウーファユニット）とを有する同軸型或いは複合型のスピーカ装置が知られている。このようなスピーカ装置の一例では、ツイータとウーファが同軸上に配置されると共に、ツイータはウーファの放音側（前側）となる上方に配置される。また、このような同軸型スピーカでは、ウーファの磁気回路が収容されるウーファフレームの外周壁近傍に接続端子が設けられている。そして、ウーファのボイスコイルと接続された錦糸線（リード線）及びその一方に接続された中継配線、ツイータのボイスコイルから引出された中継配線、並びにアンプ側から引出された配線ケーブルはそれぞれ接続端子部に接続される。このため、ツイータ及びウーファへは、接続端子部を介してアンプ側からの電気信号が入力されるようになっている。
【０００３】
なお、この種のスピーカ装置として、例えば、低音用スピーカの前面側に、該低音用スピーカのフレーム周縁部から差し渡すように設けたブリッジ型の支持枠で支持させて高音用スピーカを配置したコアキシャルスピーカや、第１のスピーカの前方にこれよりも小径の第２のスピーカを指向可変可能に配置した同軸型スピーカが知られている。
【０００４】
このようなスピーカにおいては、ウーファフレーム側に接続端子を設けて、この接続端子とツイータを接続する中継配線が必要になるので、この中継配線の取り扱いが問題になる。下記特許文献１によると、接続端子からツイータに至る配線を案内する案内構造をウーファフレームに設け、ウーファフレームのフランジ部分を貫通させてツイータ側に配線する配線構造が開示されている。
【特許文献１】特開２００５−２７７８７６号公報
【発明の開示】
【発明が解決しようとする課題】
【０００５】
前述した従来技術によると、ウーファフレームを密閉型キャビネットに収容する際に、ウーファフレームのフランジ部分に貫通孔が形成されることになるので、キャビネットの気密性が得られなくなる問題が生じる。
【０００６】
本発明は、このような問題に対処することを課題の一例とするものである。すなわち、同軸型或いは複合型のスピーカ装置において、配線の取り扱いを良好にすると共に、スピーカフレームを密閉型キャビネットに収める際に十分な気密性が確保できること、等が本発明の目的である。
【課題を解決するための手段】
【０００７】
このような目的を達成するために、本発明によるスピーカ装置は、以下の独立請求項に係る構成を少なくとも具備するものである。
【０００８】
［請求項１］支持部を前面側に有するフレームを備えた第1スピーカユニットと、前記支持部の外周に沿って支持される支持枠と該支持枠から中央に延びるブリッジ枠と該ブリッジ枠によって前記第1スピーカユニットの前面に支持されるスピーカ収容枠とを備える第2スピーカユニットとを備え、前記フレームには、信号ケーブルが接続される接続端子が装着され、該接続端子と前記第1スピーカユニットとを接続する第1リード線と、前記接続端子と前記第2スピーカユニットとを接続する第2リード線が配備され、前記第2リード線は、前記接続端子から、前記支持部に形成された貫通孔を通って、前記支持枠に沿って引き回され、前記ブリッジ枠に沿って前記第2スピーカユニットに至るように配線され、前記フレームには、前記第2リード線を前記貫通孔に導くリード線保持リブが形成されると共に、前記支持部の背面に、前記貫通孔を囲む囲いリブが形成されることを特徴とするスピーカ装置。
【発明を実施するための最良の形態】
【０００９】
以下、本発明の実施形態を図面に基づいて説明する。図１は本発明の一実施形態に係るスピーカ装置の全体構造を示す説明図（部分断面図）である。このスピーカ装置１は、第１スピーカユニット２（例えば、ウーファユニット）と第２スピーカユニット３（例えば、ツイータユニット）と密封型キャビネット４と、必要に応じて、前面グリル５を備えている。
【００１０】
第１スピーカユニット２は、支持部２０Ａを前面に有するフレーム２０を備えている。このフレーム２０は、磁気回路２１を保持する磁気回路保持部２０Ｂを有し、この磁気回路保持部２０Ｂと支持部２０Ａとを連結する連結脚部２０Ｃを有している。
【００１１】
第１スピーカユニット２のスピーカ構成を説明すると、図示の例では、磁気回路２１は、有底円柱状（ツボ状）のヨーク２１Ａの底面に、円盤状のメイン磁石２１Ｂ，ポールピース２１Ｃ，複数のサブ磁石２１Ｄ，２１Ｅ，トッププレート２１Ｆを積層配置し、ヨーク２１Ａの外周部の上にリング状のプレート２１Ｇを配置した構造からなる反発型磁気回路であり、ポールピース２１Ｃ外周面とプレート２１Ｇの内周面の間にボイスコイル２２を配置する磁気ギャップが形成されている。ボイスコイル２２は、ボイスコイルボビン２３の外周に巻き回されており、ボイスコイルボビン２３はダンパ２４によってフレーム２０に支持されている。また、ボイスコイルボビン２３の外周には振動板２５の内周部が接続され、振動板２５の外周部はエッジ２５Ａを介して支持部２０Ａに接続されている。
【００１２】
また、フレーム２０には接続端子６が装着されており、接続端子６にはアンプ側から引出された信号ケーブル６０が接続されている。密閉型キャビネット４から信号ケーブル６０を引出す取り出し口には、気密キャップ６１が取り付けられている。
【００１３】
一方、第２スピーカユニット３は、前述した支持部２０Ａの外周に沿って支持される支持枠３０Ａとこの支持枠３０Ａから中央に延びるブリッジ枠３０Ｂとこのブリッジ枠３０Ｂによって第1スピーカユニット２の前面に支持されるスピーカ収容枠３０Ｃとを備え、スピーカ収容枠３０Ｃ内にスピーカ（例えば、ツイータ）が配備されている。
【００１４】
第２スピーカユニット３のスピーカ構成を説明すると、フレーム３１内に、有底円柱状（ツボ状）ヨーク３２Ａ，磁石３２Ｂ，トッププレート３２Ｃからなる磁気回路３２が配備され、ヨーク３２Ａの内周面とトッププレート３２Ｃの外周面との間に形成された磁気ギャップ内に配置されるボイスコイルが巻き回されるボイスコイルボビン３３にドーム型の振動板３４が連結され、振動板３４の外周部がフレーム３１の前面外縁部に接続されている（振動板３４はエッジを有しており、一体に形成されている）。
【００１５】
そして、第１スピーカユニット２のボイスコイル２２と接続端子６が図示省略のリード線（第１リード線）で接続され、また、第２スピーカユニット３のボイスコイルと接続端子６が後述する第２リード線で接続されており、信号ケーブル６０によって伝送された音声信号に応じて第１スピーカユニット２及び第２スピーカユニット３が駆動されるようになっている。
【００１６】
密閉型キャビネット４は、前面側にバッフル板４０が取り付けられる開口部を有する。第１スピーカユニット２のフレーム２０における支持部２０Ａがバッフル板４０に取り付けられて、開口部から挿入された第１スピーカユニット２が密閉型キャビネット４内に収容される。このバッフル板４０は、密閉型キャビネット４の開口部を補強するために所定の強度を有する金属製部材によって形成されている。
【００１７】
図２は、本発明の実施形態における第１スピーカユニット２の側面図（同図（ａ））及び背面図（同図（ｂ））である（前述の説明と同一箇所には同一符号を付して重複説明を省略する）。フレーム２０の連結脚部２０Ｃには、接続端子６が装着されている。そして、接続端子６には、第２スピーカユニット３のボイスコイルの一端に接続されるリード線（第２リード線）６２Ａが直接接続されており、また、第２スピーカユニット３のボイスコイルの他端に接続されるリード線（第２リード線）６２Ｂが電子素子（コンデンサ）７を介して接続されている。
【００１８】
そして、リード線６２Ａは、接続端子６からフレーム２０のダンパ取り付け段部に形成されたリード線支持突起２０ｓを経由し、連結脚部２０Ｃに形成されるリード線保持リブ２０ｐを経由して、支持部２０Ａに形成された貫通孔２０ｑを貫通して、第２スピーカユニット３に至るように配線されている。また、もう一方のリード線６２Ｂは、電子素子７の端子から、連結脚部２０Ｃに形成されるリード線保持リブ２０ｐを経由して、支持部２０Ａに形成された貫通孔２０ｑを貫通して、第２スピーカユニット３に至るように配線されている。リード線支持突起２０ｓは、一対の突起が突出しており、その突起間にリード線６２Ａを挟持するものであり、リード線保持リブ２０ｐは、一対の線状リブが前後にわたって形成されたものであり、その線状リブ間にリード線６２Ａ（６２Ｂ）が保持されるものである。
【００１９】
更に、貫通孔２０ｑの周りには、支持部２０の背面に、貫通孔２０ｑを囲むように突出した囲いリブ２０ｒが形成されている。この囲いリブ２０ｒは、リード線６２Ａ，６２Ｂが通過する程度開放して、それ以外の貫通孔２０ｑの周囲を囲んだものであり、貫通孔２０ｑ内に充填されるシール材が周囲に流れ出ないようにしたものである。
【００２０】
図３は、本発明の実施形態に係る第２スピーカユニット３の背面図である。第２スピーカユニット３は、前述したように、支持部２０Ａの外周に沿って支持される支持枠３０Ａと支持枠３０Ａから中央に延びるブリッジ枠３０Ｂとブリッジ枠３０Ｂによって第1スピーカユニット２の前面に支持されるスピーカ収容枠３０Ｃとを備える。ここでは、直線状に配置した一対のブリッジ枠３０Ｂでスピーカ収容枠３０Ｃを支持枠３０Ａに支持している。
【００２１】
そして、前述した貫通孔２０ｑを貫通してきたリード線６２Ａ，６２Ｂは、支持枠３０Ａの背面に形成された凹溝部３０ｓに仕込まれて、支持枠３０Ａ内を引き回されて配線され、更に、ブリッジ枠３０Ｂの背面に形成された凹溝部３０ｐ内に仕込まれて、支持枠３０Ａ及びブリッジ枠３０Ｂを経由してスピーカのボイスコイルに接続されている。ここで、支持枠３０Ａとブリッジ枠３０Ｂに形成される凹溝部３０ｓ，３０ｐは一方を省略することも可能である。
【００２２】
このような実施形態に係るスピーカ装置１によると、フレーム２０には、信号ケーブル６０が接続される接続端子６が装着され、接続端子６と第1スピーカユニット２とを接続するリード線（第1リード線）と、接続端子６と第2スピーカユニット３とを接続するリード線６２Ａ，６２Ｂ（第2リード線）が配備され、リード線６２Ａ，６２Ｂは、接続端子６から、支持部２０Ａに形成された貫通孔２０ｑを通って、支持枠３０Ａに沿って引き回され、ブリッジ枠３０Ｂに沿って第2スピーカユニット３に至るように配線されているので、第１スピーカユニット２を密閉型キャビネット４に収容する際にも、配線作業が容易であり、リード線６２Ａ，６２Ｂの線カミを心配することなく収容作業を行うことができる。また、リード線６２Ａ，６２Ｂが存在するにもかかわらず、支持部２０Ａをバッフル板４０に密着させることができる。この際、バッフル板４０には、前述した貫通孔２０ｑ及び囲いリブ２０ｒを逃げる切り欠き部が形成されている。
【００２３】
また、フレーム２０には、リード線６２Ａ，６２Ｂを貫通孔２０ｑに導くリード線保持リブ２０ｐが形成されると共に、支持部２０Ａの背面に、貫通孔２０ｑを囲む囲いリブ２０ｒが形成されているので、リード線６２Ａ，６２Ｂをスペース効率よく第２スピーカシステム３に導くことができ、第１スピーカユニット２を密閉型キャビネット４内に収容する際にも、リード線６２Ａ，６２Ｂが邪魔になることがない。
【００２４】
更には、囲いリブ２０ｒによって、貫通孔２０ｑを確実にシール材で密閉することができるので、第１スピーカユニット２の支持部２０Ａ前後における気密性を十分に確保することができる。
【００２５】
また、本発明の実施形態では、前述の特徴に加えて、前面側にバッフル板４０が取り付けられる開口部を有する密閉型キャビネット４を備え、フレーム２０の支持部２０Ａをバッフル板４０に取り付け、第１スピーカユニット２をその開口部から密閉型キャビネット４内に収容するようにしたので、密閉型キャビネット４への装着時の気密性を確保することができ、バッフル板４０のバッフル効果を十分に発揮することができる。
【００２６】
また、本発明の実施形態では、前述の特徴に加えて、囲いリブ２０ｒ内に貫通孔２０ｑを塞ぐシール材が充填されているので、囲いリブ２０ｒによって囲まれた範囲内にシール材を充填することで確実にシール材を貫通孔２０ｑに充填させることができる。また、囲いリブ２０ｒの高さに若干の余裕を持たせることで、シール材が所定の位置以外に流れ出すことを心配する必要が無くなり、シール材の充填作業を簡易に行うことができる。更に、囲いリブ２０ｒの存在によって、シール材の充填量にばらつきがあっても、確実に貫通孔２０ｑの気密性を確保することができる。
【００２７】
また、本発明の実施形態では、前述の特徴に加えて、バッフル板４０が、密閉型キャビネット４の開口部を補強する金属製部材からなるので、スピーカ装置１の十分な強度を確保することができる。更には、リード線６２Ａ，６２Ｂが貫通孔２０ｑを貫通する配線構造を採用しているので、金属製のバッフル板４０を採用した場合にも、短絡等の問題が生じない。
【００２８】
また、本発明の実施形態では、前述の特徴に加えて、支持枠３０Ａの背面及び／又はブリッジ枠３０Ｂの背面には、リード線６２Ａ，６２Ｂを仕込む凹溝部３０ｓ，３０ｐが形成されているので、リード線６２Ａ，６２Ｂがスピーカ駆動時にぐらつくことがない。したがって、スピーカ再生音の音圧によってリード線６２Ａ，６２Ｂが振動してビリつき音を発生することを回避することができる。
【００２９】
また、本発明の実施形態では、前述の特徴に加えて、リード線保持リブ２０ｐが連結脚部２０Ｃに形成されているので、このリブ構造によって連結脚部２０Ｃの強度を高めることができ、フレーム強度が上がることで、スピーカ自身が発生する不要な共振音を低減でき、より高品位な音響再生が可能になる。
【００３０】
この実施形態に係るスピーカ装置１によると、第１スピーカユニット２をウーファユニットとし、第２スピーカユニット３をツイータユニットとすることで、良質な気密性を持った同軸型又は複合型スピーカを得ることができる。
【図面の簡単な説明】
【００３１】
【図１】本発明の一実施形態に係るスピーカ装置の全体構造を示す説明図（部分断面図）である。
【図２】本発明の実施形態における第１スピーカユニット２の側面図（同図（ａ））及び背面図（同図（ｂ））である。
【図３】本発明の実施形態に係る第２スピーカユニット３の背面図である。
【符号の説明】
【００３２】
１  スピーカ装置，２  第１スピーカユニット，３  第２スピーカユニット，
４  密閉型キャビネット，６  接続端子，２０  フレーム，２０Ａ  支持部，
２０Ｂ  磁気回路保持部，２０Ｃ  連結脚部，
２０ｐ  リード線保持リブ，２０ｑ  貫通孔，２０ｒ  囲いリブ，
３０Ａ  支持枠，３０Ｂ  ブリッジ枠，３０Ｃ  スピーカ収容枠，
４０  バッフル板，
６０  信号ケーブル，６２Ａ，６２Ｂ  リード線（第２リード線）
【図１】
2008278233.tif 000003
【図２】
2008278233.tif 000004
【図３】
2008278233.tif 000005